(57)【要約】【課題】従来のボタン装飾品とは異なり、ボタン孔に通さていないボタンへの着脱が容易で、かつ、ボタンに取り付けた後に不意にボタンから外れてしまうことがないボタン装飾品を得る。【解決手段】ボタンを通すためのボタン孔の表面を覆う装飾部材１０と、ボタン孔に通してボタンのボタンくくり糸を挟む二股状のボタン保持部２１，２２を備えたボタン受け部材２０と、装飾部材１０の裏面側でボタン受け部材２０を装飾部材１０に対して折り畳み可能に連結した連結部３０と、を有してなる。【選択図】図１
0003127801.tif 000002
【実用新案登録請求の範囲】
【請求項１】
ボタンを通すためのボタン孔の表面を覆う装飾部材と、
上記ボタン孔に通して上記ボタンのボタンくくり糸を挟む二股状のボタン保持部を備えたボタン受け部材と、
上記装飾部材の裏面側で上記ボタン受け部材を上記装飾部材に対して折り畳み可能に連結した連結部と、
を有してなることを特徴とするボタン装飾品。
【請求項２】
ボタン保持部は板状で、二股の根元にはボタンくくり糸を保持する空間部が設けられている請求項１記載のボタン装飾品。
【請求項３】
ボタン受け部材を装飾部材側に圧着する方向に付勢する弾性部材を備えた請求項１記載のボタン装飾品。
【請求項４】
連結部は、第１の軸孔が設けられた第１の軸受部を備え、
ボタン受け部材は、第２の軸孔が設けられた第２の軸受部を備え、
連結部とボタン受け部材は、上記第１の軸孔と上記第２の軸孔が連通するように配置され、
上記連通した第１の軸孔と第２の軸孔に連結ピンが挿入されている請求項１記載のボタン装飾品。
【請求項５】
連結部は、第１の軸孔が設けられた第１の軸受部を備え、
ボタン受け部材は、上記第１の軸孔と連通する第２の軸孔が設けられた第２の軸受部を２つ備え、
連結部とボタン受け部材は、上記第１の軸受部が上記２つの第２の軸受部の間に挟まれて配置され、
上記連通した第１の軸孔と第２の軸孔に連結ピンが挿入されている請求項１記載のボタン装飾品。
【請求項６】
ボタン受け部材を装飾部材側に圧着する方向に付勢するバネ板を備え、
上記バネ板は、第１の軸孔が設けられた第１の軸受部の外周面を摺動可能にボタン受け部材に取り付けられ、
上記第１の軸受部の外周面の一部に、上記第１の軸孔の軸方向に対して平行となる上記バネ板の当たり面が形成されている、
請求項４または５記載のボタン装飾品。
【考案の詳細な説明】
【技術分野】
【０００１】
本考案は、シャツなどのボタンのボタン孔の表面を覆うボタン装飾品に関するものである。
【背景技術】
【０００２】
近年、わが国では、地球温暖化対策の一環として、温室効果ガス削減を目的に、たとえば、夏場の冷房の設定温度を高めに設定する動きがある。それに伴い、男性の間では、オフィスなどの室内で快適に過ごすために、ネクタイを外して仕事をするスタイル、いわゆるクールビズが盛んになっている。
【０００３】
その結果、単にネクタイを外してワイシャツを着用するのではなく、ネクタイ無しで着用することを前提にしたデザイン性に富んだシャツが男性の間で広まってきている。また、夏場に、ネクタイに代わる装飾品、たとえば、シャツのボタンに取り付けてシャツを装飾することができるものが欲しい、というニーズが存在している。
これまでにも、ボタンを装飾する物品に関して提案されている（たとえば、特許文献１，２参照）。
【特許文献１】特開２００２−７８５１４公報
【特許文献２】特表２００５−５１９６５５公報
【考案の開示】
【考案が解決しようとする課題】
【０００４】
しかしながら、従来のボタン装飾品は、ボタン孔に通されたボタンに取り付けて用いるものであり、一旦ボタンをボタン孔に通す必要があった。
本考案は従来のボタン装飾品とは異なり、ボタン孔に通さていないボタンへの着脱が容易で、かつ、ボタンに取り付けた後に不意にボタンから外れてしまうことがないボタン装飾品を提供することを目的とする。
【課題を解決するための手段】
【０００５】
本考案にかかるボタン装飾品は、ボタンを通すためのボタン孔の表面を覆う装飾部材と、ボタン孔に通してボタンのボタンくくり糸を挟む二股状のボタン保持部を備えたボタン受け部材と、装飾部材の裏面側でボタン受け部材を装飾部材に対して折り畳み可能に連結した連結部と、を有してなることを特徴とする。
【０００６】
また、本考案にかかるボタン装飾品は、ボタン保持部は板状で、二股の根元にはボタンくくり糸を保持する空間部が設けられていることを特徴とする。
【０００７】
また、本考案にかかるボタン装飾品は、ボタン受け部材を装飾部材側に圧着する方向に付勢する弾性部材を備えたことを特徴とする。
【０００８】
また、本考案にかかるボタン装飾品は、連結部は、第１の軸孔が設けられた第１の軸受部を備え、ボタン受け部材は、第２の軸孔が設けられた第２の軸受部を備え、連結部とボタン受け部材は、第１の軸孔と第２の軸孔が連通するように配置され、連通した第１の軸孔と第２の軸孔に連結ピンが配設されていることを特徴とする。
【０００９】
また、本考案にかかるボタン装飾品は、連結部は、第１の軸孔が設けられた第１の軸受部を備え、ボタン受け部材は、第１の軸孔と連通する第２の軸孔が設けられた第２の軸受部を２つ備え、連結部とボタン受け部材は、第１の軸受部が２つの第２の軸受部の間に挟まれて配置され、連通した第１の軸孔と第２の軸孔に連結ピンが配設されていることを特徴とする。
【００１０】
また、本考案にかかるボタン装飾品は、ボタン受け部材を装飾部材側に圧着する方向に付勢するバネ板を備え、バネ板は、第１の軸孔が設けられた第１の軸受部の外周面を摺動可能にボタン受け部材に取り付けられ、第１の軸受部の外周面の一部に、第１の軸孔の軸方向に対して平行となるバネ板の当たり面が形成されていることを特徴とする。
【考案の効果】
【００１１】
本考案によれば、ボタンをボタン孔に通してボタンを掛けたのと同じ効果をもたせることができると共に、ボタンに代わってシャツなどを装飾することができる。しかも、ボタン孔に通さていないボタンへの着脱が容易で、かつ、ボタンに取り付けた後に不意にボタンから外れてしまうことがない。
【考案を実施するための最良の形態】
【００１２】
以下、図面を参照しながら、本考案にかかるボタン装飾品の実施の形態について説明する。
なお、以下に説明する実施の形態は、本考案にかかるボタン装飾品を、いわゆるボタンダウンシャツの襟に設けられたボタンに取り付ける場合を例に説明する。図３は、シャツ６０のボタン６２と、シャツ６０の襟６１に設けられたボタン孔６３の様子を示す模式図である。ボタン孔６３は、本来、ボタン６２を通すための孔であるが、本考案にかかるボタン装飾品を用いてボタン６２を装飾する際には、ボタン６２に代えて、ボタン装飾品がボタン孔６３に通される。なお、図３では、シャツ６０の表面側と襟６１の裏面側が示されている。ここで、シャツ６０の表面側と襟６１の裏面側とは、ボタン６２をボタン孔６３に通したときに、シャツ６０と襟６１が対面する側をいう。
【００１３】
図１は、本考案にかかるボタン装飾品の実施の形態を裏面側から見た斜視図であり、ボタン装飾品１の裏面側の様子を示している。ボタン装飾品１は、ボタンを通すボタン孔６３の表面を覆う装飾部材１０と、ボタン孔６３に通されてボタン６２のボタンくくり糸に引っ掛けられるボタン受け部材２０と、装飾部材１０とボタン受け部材２０とを連結する連結部３０を有してなる。
【００１４】
図１には、装飾部材１０として、金属製の円形の装飾品が用いられている例を示している。装飾部材１０の直径は、ボタン６２の直径より大きく、ボタン孔６３を通り抜けない大きさに構成されている。
なお、ここでは、装飾部材１０、ボタン受け部材２０、連結部３０は、金属製とするが、各部品の素材はこれに限定されず、以下に説明する本考案にかかるボタン装飾品を実現可能なものであればよく、各部品の素材を同一にする必要もない。
【００１５】
ボタン受け部材２０は、図２に示すように、連結ピン５０を回転軸として装飾部材１０に対して折り畳み可能となるように、連結部３０を介して装飾部材１０と連結されている。連結方法については後述する。
なお、本実施の形態では、装飾部材１０に対するボタン受け部材２０の折り畳み方向は一方向、つまり、図１に矢印で示すようにボタン受け部材２０は紙面向こう側に折り畳まれる構成である。
また、後に詳説するように、ボタン受け部材２０と連結部３０との間には弾性部材としてのバネ板４０が設けられていて、ボタン受け部材２０はバネ板４０の作用により、折り畳まれたときに装飾部材１０側に圧着する方向に付勢される。
【００１６】
図８は、ボタン受け部材２０の表面側の斜視図である。ボタン受け部材２０の表面側とは、ボタン装飾品１をボタン６２に取り付けて使用する際に、シャツ６０の表面に対面する側をいう。
ボタン受け部材２０には長手方向の一端から長手方向に切り込み溝が形成されることにより、ボタン孔６３に通してボタンくくり糸を挟む二股状のボタン保持部２１，２２が形成され、他端には軸受部２４，２５が設けられている。また、ボタン受け部材２０の略中央のボタン保持部２１，２２の根元付近には、ボタンくくり糸を保持する空間部２３が設けられている。
【００１７】
二股状のボタン保持部２１，２２は、ボタン孔６３に通しやすいように、先端に向かって細くなるように形成されている。また、ボタン保持部２１，２２は、ボタン孔に通した後に空間部２３にボタンくくり糸をガイドしやすいように、先端から空間部２３に向けてＶ字状に形成されている。なお、このＶ字の深さが深いほど、つまり、ボタン保持部２１，２２の長手方向の長さが長いほど、ボタン６２に取り付けられたボタン受け部材２０はボタン６２から外れにくくなる。その結果、ボタン６２に取り付けられたボタン装飾品１は、不意にボタン６２から外れることはない。
【００１８】
軸受部２４，２５は、ボタン受け部材２０の裏面側にボタン受け部材２０の本体部に対して略垂直方向に立ち上がり、ボタン受け部材２０の短手方向に間を空けて形成されている。軸受部２４，２５には、軸方向がボタン受け部材２０の短手方向を軸方向とする軸孔２６，２７が設けられている。
【００１９】
図７は、ボタン受け部材２０の裏面側の斜視図である。
ボタン受け部材２０本体の裏面の略中央には、ボタン受け部材２０の短手方向に並べて突起２８，２９が設けられている。突起２８，２９は、後述するように、ボタン受け部材２０上でのバネ板４０を位置決めするのに用いられる。
【００２０】
ボタン受け部材２０は、裏面側が凸面となるように長手方向に反った形状をしている。この形状により、ボタン受け部材２０が装飾部材１０に対して折り畳まれたときに、ボタン保持部２１，２２の先端部分と装飾部材１０との接触面積を大きくすることができる。その結果、ボタン装飾品１がボタン６２にしっかりと固定されて、ボタン装飾品１がボタン６２から外れにくくなっている。
【００２１】
図９は、連結部３０の斜視図である。連結部３０は、装飾部材１０の裏面に固定される台座３１と、ボタン受け部材２０の軸受部２４，２５とに連結される軸受部３３と、台座３１と軸受部３３とをつなぐ柱３２とを備える。
軸受部３３には、台座３１を装飾部材１０に固定したとき、軸方向が装飾部材１０と略平行となる軸孔３４が設けられている。
なお、連結部３０は装飾部材１０と一体成形してもよい。
【００２２】
次に、ボタン装飾品１の製造方法について説明する。
先ず、図１１に示すように、ボタン受け部材２０の裏面にバネ板４０を載置する。バネ板４０は金属製の板状で、図１０に示すように、長手方向一端に、突起受け部４１，４２が短手方向に並んで切り欠かれて形成されている。バネ板４０は、突起受け部４１，４２がボタン受け部材２０の突起２８，２９で挟み込まれるように、ボタン受け部材２０の裏面に載置する。突起受け部４１，４２と突起２８，２９により、ボタン受け部材２０の裏面上を前後左右に移動しないように、バネ板４０を位置決めすることができる。
なお、ボタン受け部材２０にバネ板４０を位置決めした上で、突起２８，２９を紙面上側からバネ板４０を覆うように押しつぶして、バネ板４０をボタン受け部材２０に固定する。
【００２３】
一方、バネ板４０の他端は、軸受部２４，２５の間に挟まれてボタン受け部材２０の裏面上に載置されている。
【００２４】
そして、図１２，図１３に示すように、ボタン受け部材２０と連結部３０は、ボタン受け部材２０の軸受部２４，２５に設けられた軸孔（２６，２７）と、連結部３０の軸受部３３に設けられた軸孔（３４）とが連通するように、軸受部２４，２５の間に軸受部３３を挟んで配置する。その上で、連通した軸孔（２６，３４，２７）に連結ピン５０を挿入する。
【００２５】
ボタン受け部材２０の軸受部２４，２５に設けられた軸孔２６，２７と、連結部３０の軸受部３３に設けられた軸孔３４とに貫通させた連結ピン５０は、軸受部２４，２５の外側にはみ出た部分を切断する。その上で、連結部３０が連結ピン５０を回転軸としてボタン受け部材２０に対して回転可能となると共に、連結ピン５０が軸孔から抜け落ちないように、連結ピン５０を軸孔２６，２７に接着などにより固定する。
【００２６】
ここで、バネ板４０は、ボタン受け部材２０と連結部３０の軸受部３３とに挟まれた格好になる。ボタン受け部材２０は裏面側に凸状に反っているので、バネ板４０は、軸受部３３の外周面に接する一方で、軸受部３３近傍ではバネ板４０とボタン受け部材２０との間に隙間が形成される。ボタン受け部材２０を装飾部１０に対して折り畳む際、バネ板４０は軸受部３３の外周面を摺動する。
【００２７】
なお、ボタン受け部材２０を装飾部材１０に対して折り畳む際のボタン受け部材２０の回転位置決め用として、連結部３０の軸孔の軸方向と平行する平面を、ボタン受け部材２０が摺動する連結部３０の軸受部の外周面に形成するとよい。図１４は、連結部３０の軸受部の断面（軸孔の軸方向に直交する面）の例である。（ａ）は、軸受部３３ａの外周面に、軸孔３４ａの軸方向と平行となる平面３５ａ，３６ａが形成されていることを示している。（ｂ）は、軸孔３４ｂの軸方向と平行となる平面３５ｂ，３６ｂが形成されていて、両平面が角３７ｂで接していることを示している。
【００２８】
たとえば、図１４（ａ）の場合、図１に示すようにボタン受け部材２０が装飾部材１０に対して起立しているとき、バネ板４０は平面３５ａに接し、ボタン受け部材２０を折り畳む際、バネ板４０に曲面３７ａ上が摺動しながらボタン受け部材２０が回転し、図２に示すようにボタン受け部材２０が折り畳まれたとき、バネ板４０は平面３６ａに接する。すなわち、平面３５ａ，３６ａは、バネ板４０の当たり面として作用する。つまり、軸孔３４ａの軸方向と直交する平面上における平面３５ａと３６ａとがなす角度により、起立した状態と折り畳まれた状態でのボタン受け部材２０の装飾部材１０に対する角度が決まる。したがって、軸孔３４ａの軸方向の直交面上における平面３５ａと３６ａとがなす角度により、ボタン受け部２０をボタン孔に通す際の通し易さや、ボタン受け部材２０を折り畳んだときの装飾部材１０側への圧着力などが決まる。
【００２９】
連結ピン５０でボタン受け部材２０と連結部３０とを連結した後に、連結部３０の台座３１を装飾部材１０の裏面に接着などにより固定することで、ボタン装飾品１が完成する。
なお、台座３１は、ボタン装飾品１をボタン６２に取り付けたときに装飾部材１０の上側で、ボタン受け部材２０の折り畳み方向が下向きとなるように、装飾部材１０の裏面に固定する。この位置に台座３１を固定することで、ボタン装飾品１をボタン６２に取り付けたとき、ボタン受け部材２０のボタン保持部２１，２２がボタン６２のボタンくくり糸を上から挟み込み、ボタン装飾品１がしっかりとボタン６２に固定される。その結果、ボタン装飾品１が不意にボタン６２から外れることがなくなる。
【００３０】
次に、図４〜６を参照しながらボタン装飾品１の使用方法を説明する。
先ず、図４に示すように、ボタン受け部材２０のボタン保持部２１，２２の先端を、襟６１の表面側から裏面側に向けてボタン孔６３に通す。
そして、図５に示すように、ボタン６２をシャツ６０にくくり付けているボタン６２のボタンくくり糸をボタン保持部２１，２２で挟む。その際、ボタン受け部材２０の空間部２３がボタンくくり糸を保持するまで、ボタン装飾品１をボタンくくり糸側に押し込む。
【００３１】
そして、装飾部材１０をボタン受け部材２０に対して折り畳む、つまり、ボタン受け部材２０を装飾部材１０に対して折り畳むことで、図６に示すように、装飾部材１０が襟６１に設けられたボタン孔の表面を覆い、装飾部材の表面（顔の模様が付された面）がシャツの前面に現れてシャツを装飾する。
【００３２】
以上説明した構成を備えた本発明にかかるボタン装飾品は、ボタン受け部材２０をボタン孔６３に通した上でボタン２０のボタンくくり糸を二股状のボタン保持部２１，２２で挟み込み、また、バネ板４０でボタン受け部材２０を装飾部材１０側に圧着する方向に付勢することができるため、ボタンをボタン孔に通してボタンを掛けたのと同じ効果をもたせることができる。しかも、ボタン孔に通さていないボタンへの着脱が容易で、かつ、ボタンに取り付けた後に不意にボタンから外れてしまうことがない。
【００３３】
以上説明した実施の形態は、シャツの前面に現れる装飾部材１０に連結部３０を直接固定する構成であったが、これに代えて、シャツの前面に現れる装飾品（宝飾品など）と連結部３０が固定される装飾部材とを別体として構成するようにしてもよい。この構成の場合、たとえば、装飾部材の表面には、装飾品を保持するためのツメなどの保持部材を設けておく。装飾品と装飾部材とを別体として構成することで、１つの装飾部材で複数の装飾品を取り替えながらシャツを装飾することができる。
【００３４】
なお、以上説明した実施の形態は、シャツのボタンに取り付ける場合の例であったが、本考案にかかるボタン装飾品は、シャツに限らず、たとえば、鞄などのボタンにも取り付け可能である。
【図面の簡単な説明】
【００３５】
【図１】本考案にかかるボタン装飾品の実施の形態を裏面側から見た斜視図である。
【図２】上記ボタン装飾品の別の態様を図１に準じて示す斜視図である。
【図３】上記ボタン装飾品の使用方法の一工程を示す参考図である。
【図４】上記ボタン装飾品の使用方法の次の工程を示す参考図である。
【図５】上記ボタン装飾品の使用方法のさらに次の工程を示す参考図である。
【図６】上記ボタン装飾品の使用方法のさらに次の工程を示す参考図である。
【図７】上記ボタン装飾品を構成するボタン受け部材の裏面側の例を示す斜視図である。
【図８】上記ボタン受け部材の表面の例を示す斜視図である。
【図９】上記ボタン装飾品を構成する連結部の例を示す斜視図である。
【図１０】上記ボタン装飾品を構成するバネ板の例を示す斜視図である。
【図１１】上記ボタン装飾品の製造方法の一工程を示す斜視図である。
【図１２】上記ボタン装飾品の製造方法の次の工程を示す斜視図である。
【図１３】上記ボタン装飾品の製造方法のさらに次の工程を示す斜視図である。
【図１４】上記連結部の軸受部の異なる二つの形態を示す断面図である。
【符号の説明】
【００３６】
１    ボタン装飾品
１０  装飾部材
２０  ボタン受け部材
３０  連結部
４０  バネ板
５０  連結ピン
６２  ボタン
６３  ボタン孔
【図１】
0003127801.tif 000003
【図２】
0003127801.tif 000004
【図３】
0003127801.tif 000005
【図４】
0003127801.tif 000006
【図５】
0003127801.tif 000007
【図６】
0003127801.tif 000008
【図７】
0003127801.tif 000009
【図８】
0003127801.tif 000010
【図９】
0003127801.tif 000011
【図１０】
0003127801.tif 000012
【図１１】
0003127801.tif 000013
【図１２】
0003127801.tif 000014
【図１３】
0003127801.tif 000015
【図１４】
0003127801.tif 000016